(57)【要約】【課題】コネクタ嵌合時の挿入力の低減を図る。【解決手段】フード部１１２に挿入・嵌合されるロックアーム１５付きのインナハウジング１０と、フェルール５０と、バネ３０と、バネを保持してインナハウジングにスライド自在に装着され、後方に待機するときバネとフェルールとの間に距離を保ち、前方にスライドしたとき、バネをフェルールの後端に押圧接触させるアウタハウジング２０と、アウタハウジングに設けられた係止アーム２５とを具備する。係止アームは、先端に、ロックアームのロック部１５ａに係合することで、アウタハウジングの前方スライドを規制する係合部２５ｃを有し、ロック部がフード部の係合凸部１１５を潜り抜けるとき、内側に撓み変形して、係合部のロック部に対する係合を解いてアウタハウジングの前方へのスライドを許可し、アウタハウジングが前方へスライドさせられたとき、係合凸部ならびにロック部を潜り抜けた上でロック部の前側に係合部を係合させる。【選択図】図４
2012173344.tif 000002
【特許請求の範囲】
【請求項１】
相手側コネクタハウジングのフード部の内部にコネクタ嵌合方向に沿って挿入されることで、該相手側コネクタハウジングと嵌合されるハウジング部材と、
該ハウジング部材の前記フード部の内側壁と対向する部位に設けられ、前記フード部の内側壁に突設された係合凸部と係合するロック部を有し、前記ハウジング部材が前記相手側コネクタハウジングに完全嵌合されたとき、前記ロック部が前記係合凸部と係合することで、前記ハウジング部材を前記相手側コネクタハウジングに対してコネクタ嵌合方向にロックするロックアームと、
前記ハウジング部材より後方に延びる光ファイバの先端を保持した状態で前記ハウジング部材の内部に後方から挿入されて前方へ位置決め規制され、前記相手側コネクタハウジングと前記ハウジング部材の完全嵌合時に、前記相手側コネクタハウジングに収容された光接続要素と光学的に接続されるフェルールと、
該フェルールの後端に押圧接触したとき、フェルールを前方へ向けて付勢するバネと、
前記バネを保持して、前記ハウジング部材にコネクタ嵌合方向にスライド自在に装着され、コネクタ嵌合方向の後方位置に待機するとき、前記バネとフェルールとの間に距離を保ち、コネクタ嵌合方向の前方位置にスライドしたとき、前記バネをフェルールの後端に押圧接触させて、フェルールに前方へ向けての付勢力を付与させるスライド部材と、
該スライド部材の前記ロックアームに対応する部位に設けられた係止アームと、
を具備しており、
前記ロックアームは、
前記ハウジング部材が前記フード部に挿入されるとき、前記ロック部が前記係合凸部と摺動することにより、内側に撓み変形し、前記ロック部が前記係合凸部を潜り抜けた段階で、撓みから復帰することにより、前記ロック部を前記係合凸部の背後に係合させ、それにより、前記ハウジング部材を前記相手側コネクタハウジングにロックさせるものとして構成され、
前記係止アームは、
先端に、前記ロック部に係合することでコネクタ嵌合方向に該ロック部と並んだ状態となり、その状態で前記ハウジング部材に対する前記スライド部材の前方へのスライドを規制する係合部を有し、且つ、前記ハウジング部材が前記フード部に挿入されるに従って前記ロックアームのロック部が前記係合凸部を潜り抜けるとき、前記係合凸部に前記係合部が摺動することにより、内側に撓み変形して、前記係合部の前記ロック部に対する係合を解いて前記スライド部材の前方へのスライドを許可し、その状態で、前記スライド部材が前方へスライドさせられたとき、前記係合凸部ならびに前記ロック部を潜り抜けた上で該ロック部の前側に前記係合部を係合させるものとして構成されている
ことを特徴とする光コネクタ。
【請求項２】
前記スライド部材が前方位置にスライドして前記係止アームの係合部が前記ロックアームのロック部の前側に係合している状態で、前記ロックアームを前記ロック部と係合凸部の係合を解除するために内側に撓ませたとき、前記係止アームが共に内側に撓み変形することで、前記係合部が前記ロック部の前側に係合している位置から離脱するように構成されていることを特徴とする請求項１に記載の光コネクタ。
【発明の詳細な説明】
【技術分野】
【０００１】
本発明は、光ファイバの先端を保持するフェルールを内装すると共に、そのフェルールを前方に付勢するバネを内装した光コネクタに関するものである。
【背景技術】
【０００２】
光ファイバ通信では、光ケーブル相互間または光ケーブルと電子機器間を接続する部品として光コネクタ付き光ファイバケーブルが用いられており、光ファイバケーブルの先端に設けた光コネクタを相手側の光コネクタに接続することでデータの送受信を行っている。
【０００３】
この種の光コネクタとして、光ファイバの先端にフェルールを組み付け、それをコネクタハウジング内に挿入すると共に、コネクタハウジング内に組み込んだバネによりフェルールを前方に付勢したものが知られている（例えば、特許文献１や特許文献２参照）。このようにバネでフェルールを前方に付勢することで、相手側光コネクタと接続した際に、例えば、相手側コネクタに組み込まれた受発光素子を含むＦＯＴ（Fiber Optic Transceiver）とフェルールとを一定の最小隙間で向かい合わせることができるようになる。
【先行技術文献】
【特許文献】
【０００４】
【特許文献１】特開２００９−２２２９３２号公報
【特許文献２】特開２０１０−８６２１号公報
【発明の概要】
【発明が解決しようとする課題】
【０００５】
ところで、この種の光コネクタのハウジングには、通常、相手側コネクタハウジングと嵌合した際に、完全嵌合状態で両コネクタハウジングをロックするためのロック機構が付いており、ロック機構の一方側の要素としてロックアームが付いていることが多い。ロックアームは、相手側コネクタハウジングのフード部にハウジングが挿入された際に、フード部の内側壁に突設された係合凸部（ロック機構の他方側の要素）と係合するロック部を有しており、ハウジングの挿入に伴い、ロック部が係合凸部と摺動することで、内側にいったん撓み、ロック部が係合凸部を潜り抜けた段階で、撓みから復帰して、ロック部を係合凸部の背後に係合させ、それにより、ハウジングをコネクタ嵌合方向に動かないようにロックするようになっている。
【０００６】
このようなロックアームを持つ光コネクタの場合、ロックアームのロック部が係合凸部を乗り越えるとき（このとき、ロックアームの撓み反力が挿入抵抗力として作用する）に、相手側コネクタハウジングに対するハウジングの挿入力がピークとなる。しかも、上述した従来のバネ内蔵の光コネクタの場合、そのピークにバネの反発力による挿入力ピークが重なるため、両方の力が合算され（挿入力のピークが重なる）、大きな挿入力が必要になる。従って、挿入力が過度に大きくなってしまい、挿入作業性が悪くなる問題があった。
【０００７】
本発明は、上述した事情に鑑みてなされたものであり、その目的は、コネクタ嵌合時の挿入力の低減を図ることのできる光コネクタを提供することにある。
【課題を解決するための手段】
【０００８】
本発明の上記目的は、下記の構成により達成される。
（１）  相手側コネクタハウジングのフード部の内部にコネクタ嵌合方向に沿って挿入されることで、該相手側コネクタハウジングと嵌合されるハウジング部材と、
該ハウジング部材の前記フード部の内側壁と対向する部位に設けられ、前記フード部の内側壁に突設された係合凸部と係合するロック部を有し、前記ハウジング部材が前記相手側コネクタハウジングに完全嵌合されたとき、前記ロック部が前記係合凸部と係合することで、前記ハウジング部材を前記相手側コネクタハウジングに対してコネクタ嵌合方向にロックするロックアームと、
前記ハウジング部材より後方に延びる光ファイバの先端を保持した状態で前記ハウジング部材の内部に後方から挿入されて前方へ位置決め規制され、前記相手側コネクタハウジングと前記ハウジング部材の完全嵌合時に、前記相手側コネクタハウジングに収容された光接続要素と光学的に接続されるフェルールと、
該フェルールの後端に押圧接触したとき、フェルールを前方へ向けて付勢するバネと、
前記バネを保持して、前記ハウジング部材にコネクタ嵌合方向にスライド自在に装着され、コネクタ嵌合方向の後方位置に待機するとき、前記バネとフェルールとの間に距離を保ち、コネクタ嵌合方向の前方位置にスライドしたとき、前記バネをフェルールの後端に押圧接触させて、フェルールに前方へ向けての付勢力を付与させるスライド部材と、
該スライド部材の前記ロックアームに対応する部位に設けられた係止アームと、
を具備しており、
前記ロックアームは、
前記ハウジング部材が前記フード部に挿入されるとき、前記ロック部が前記係合凸部と摺動することにより、内側に撓み変形し、前記ロック部が前記係合凸部を潜り抜けた段階で、撓みから復帰することにより、前記ロック部を前記係合凸部の背後に係合させ、それにより、前記ハウジング部材を前記相手側コネクタハウジングにロックさせるものとして構成され、
前記係止アームは、
先端に、前記ロック部に係合することでコネクタ嵌合方向に該ロック部と並んだ状態となり、その状態で前記ハウジング部材に対する前記スライド部材の前方へのスライドを規制する係合部を有し、且つ、前記ハウジング部材が前記フード部に挿入されるに従って前記ロックアームのロック部が前記係合凸部を潜り抜けるとき、前記係合凸部に前記係合部が摺動することにより、内側に撓み変形して、前記係合部の前記ロック部に対する係合を解いて前記スライド部材の前方へのスライドを許可し、その状態で、前記スライド部材が前方へスライドさせられたとき、前記係合凸部ならびに前記ロック部を潜り抜けた上で該ロック部の前側に前記係合部を係合させるものとして構成されている
ことを特徴とする光コネクタ。
【０００９】
（２）  前記スライド部材が前方位置にスライドして前記係止アームの係合部が前記ロックアームのロック部の前側に係合している状態で、前記ロックアームを前記ロック部と係合凸部の係合を解除するために内側に撓ませたとき、前記係止アームが共に内側に撓み変形することで、前記係合部が前記ロック部の前側に係合している位置から離脱するように構成されていることを特徴とする上記（１）に記載の光コネクタ。
【００１０】
上記（１）の構成の光コネクタによれば、相手側コネクタハウジングのフード部にハウジング部材を挿入し、相手側コネクタハウジングにハウジング部材が完全嵌合した状態になったとき、ロックアームのロック部が相手側コネクタハウジングの係合凸部に係合し、その段階で初めて、ロックアームのロック部に対する係止アームの係合部の係合が外れて、スライド部材が前方にスライドできる状態になる。そして、スライド部材を前方へスライドさせることにより、今までフェルールとの間に距離をおいていたバネをフェルールの後端に押圧接触させることができて、バネの力でフェルールを前方に付勢し、相手側コネクタハウジングの光接続要素に対してフェルールを最小隙間で位置決めすることができるようになる。従って、コネクタ嵌合時の挿入力を２つのタイミング、つまり、ロックアームのロック部が相手側コネクタハウジングの係合凸部とロックする際の挿入力ピークと、バネの反力によるスライド部材の挿入力ピークとに分けることができ、それにより挿入力のピーク値を小さくすることができて、嵌合の容易化を図ることができる。
【００１１】
上記（２）の構成の光コネクタによれば、コネクタの離脱時に、ロックアームをロック解除のために内側に撓ませると、その動きにより係止アームが共に内側に撓み、ロックアームのロック部に対する係止アームの係合が外れて、バネの力でスライド部材が自動的に後方に押しやられる。従って、バネの付勢力が除外された状態で、ロックアームによるロックを解除しながら、ハウジング部材を相手側コネクタハウジングから容易に離脱させることができる。
【発明の効果】
【００１２】
本発明によれば、コネクタ嵌合時の挿入力を２つのタイミングに分けることができ、挿入力のピーク値を小さくすることができて、コネクタ嵌合の容易化を図ることができる。
【図面の簡単な説明】
【００１３】
【図１】本発明の実施形態の光コネクタの分解斜視図である。
【図２】同光コネクタの外観斜視図である。
【図３】同光コネクタと相手側光コネクタの嵌合前の構成図で、（ａ）は側断面図、（ｂ）は別の位置で切った側断面図である。
【図４】同光コネクタと相手側光コネクタの嵌合途中の状態を示す側断面図である。
【図５】同光コネクタと相手側光コネクタの嵌合完了時の状態を示す側断面図である。
【図６】同光コネクタと相手側光コネクタの離脱時の状態を示す側断面図である。
【発明を実施するための形態】
【００１４】
以下、本発明の実施形態を図面を参照して説明する。
図１は実施形態の光コネクタの分解斜視図、図２は外観斜視図、図３は同光コネクタと相手側光コネクタとの嵌合前の構成図で、（ａ）は側断面図、（ｂ）は別の位置で切った側断面図、図４は嵌合途中の状態を示す側断面図、図５は嵌合完了時の状態を示す側断面図、図６は離脱時の状態を示す側断面図である。
【００１５】
図１および図２に示す実施形態の光コネクタはメスコネクタ１であり、相手側のオスコネクタ１００（図３参照）と接続されるものである。このメスコネクタ１は、インナハウジング（ハウジング部材）１０と、このインナハウジング１０にコネクタ嵌合方向（矢印Ａ、Ｂ方向）にスライド自在に装着されたアウタハウジング（スライド部材）２０と、このアウタハウジング２０に組み付けられたバネ３０と、光ファイバ６０の先端を保持した状態でインナハウジング１０の内部に後方から挿入されたフェルール５０と、光ファイバ６０のインナハウジング１０からの引出部分を保護するためにアウタハウジング２０の後部に装着されたブーツ４０と、から構成されている。
【００１６】
一方、図３に示すように、相手側のオスコネクタ１００は、樹脂製のコネクタハウジング１１０と、このコネクタハウジング１１０の内部に収容固定されたＦＯＴ（光接続要素）１２０と、コネクタハウジング１１０の外部を覆うように設けられた金属製のシェル１６０と、から構成されている。コネクタハウジング１１０は、コネクタ嵌合方向の前方に向けてメスコネクタ１のインナハウジング１０を受け入れるフード部１１２を有している。フード部１２の内側壁のうち、上側の内側壁の開口縁に近い位置には係合凸部１１５が突設され、その係合凸部１１５の先端面には傾斜面１１５ａが設けられている。
【００１７】
また、ＦＯＴ１２０は、フェルール５０と嵌合するＦＯＴケーシング１２１の内部に、フェルール５０に保持された光ファイバ６０の先端と光学的に接続される受発光素子１５０を収容したもので、受発光素子１５０の前側には導光体１３０が配置され、ＦＯＴケーシング１２１の前部には、フェルール５０の先端５１の嵌まる挿入筒部１２１ａが設けられている。
【００１８】
図１および図２に示すように、メスコネクタ１のインナハウジング１０は、角柱ブロック状のインナハウジング本体１１と、その上部に一体形成されたロックアーム１５とを有するもので、インナハウジング本体１１に、フェルール５０を収容するために前後方向に貫通した２つの挿入孔１２が設けられている。
【００１９】
光ファイバ６０の先端を保持したフェルール５０は、図３（ｂ）に示すように、細径の先端部５１の後側外周に突当段部５２を有し、その突当段部５２の後側に位置決め段部５３を有し、さらに位置決め段部５３の後側に係合凹部５４を有しており、後方からインナハウジング本体１１の挿入孔１２の内部に挿入されている。挿入された状態で、位置決め段部５３が挿入孔１２の内周の位置決め壁１４に突き当たっており、その状態で挿入孔１２の内部に設けられたランス１３が係合凹部５４に嵌まることで、フェルール５０は前後方向へ動かないように位置決め固定されている。
【００２０】
また、フェルール５０の後端面５５の後側に位置するバネ３０は、フェルール５０の後端に押圧接触したときに、フェルール５０を前方へ向けて付勢するものであり、板バネにより構成され、アウタハウジング２０に取り付けられている。
【００２１】
アウタハウジング２０は、このバネ３０を保持しており、インナハウジング１０の後部に、コネクタ嵌合方向にスライド自在に装着されている。そして、図３に示すように、アウタハウジング２０は、コネクタ嵌合方向の後方位置に待機するとき、バネ３０とフェルール５０との間に距離を保ち、図５に示すように、コネクタ嵌合方向の前方位置にスライドしたとき、バネ３０をフェルール５０の後端面５５に押圧接触させて、フェルール５０に前方へ向けての付勢力を付与させるようになっている。
【００２２】
アウタハウジング２０は、箱型枠状のもので、インナハウジング１０の後部左右側面に外側から嵌まる左右一対の側壁２１と、これら左右一対の側壁２１の上側に位置する上壁２２と、左右一対の側壁２１および上壁２２の後端に連なる後壁２４とを有し、さらに左右一対の側壁２１に、インナハウジング１０の後部にアウタハウジング２０を嵌めたとき、インナハウジング１０の側面の抜け止め突起１６と係合してアウタハウジング２０の抜け止めを果たす抜け止め孔２３を有し、上壁２２に、インナハウジング１０に対してアウタハウジング２０を前方位置までスライドさせたとき、ロックアーム１５上に設けたロック突起１５ｆと係合してアウタハウジング２０をインナハウジング１０にロックするロック孔２２ｆを有している。後壁２４の後部には凸壁２４ａが設けられ、この凸壁２４ａにブーツ４０の装着枠部４１が嵌まることで、アウタハウジング２０にブーツ４０が取り付けられている。
【００２３】
バネ３０は、図１に示すように、フラットな支持部３１の前側に押圧片３２を湾曲形成したもので、支持部３１の側縁に突設した差込片３１ａを、アウタハウジング２０の側壁２１に形成したスリット２６に係合させることで、アウタハウジング２０の後壁２４の前面に配置・固定されている。押圧片３２は、山形に湾曲した凸面をインナハウジング１０に装着されたフェルール５０の後端面５５に対向させた姿勢で取り付けられており、押圧片３２に形成した切欠３２ａを光ファイバ６０が通過している。
【００２４】
ここで、インナハウジング１０にアウタハウジング２０を組み付ける際には、予めアウタハウジング２０にバネ３０とブーツ４０を組み付けた状態で光ファイバ６０をアウタハウジング２０に先通しし、その上で光ファイバ６０とフェルール５０を端末処理する。次に端末処理後の光ファイバ６０とフェルール５０を、インナハウジング１０に組み付け、最後にアウタハウジング２０をインナハウジング１０に組み付ける。
【００２５】
インナハウジング１０のロックアーム１５は、相手側のオスコネクタ１００のフード部１１２の係合凸部１１５を設けた内側壁と対向する部位、つまり、インナハウジング本体１１の上壁面に設けられている。このロックアーム１５は、左右に間隔をおいて前後に延びる一対の平行レール１５ｅ、１５ｅの前後両端１５ｅ１、１５ｅ２をインナハウジング本体１１に固定し、前後方向の中間部を上下方向に撓み可能とした両持梁として構成され、前後方向の中間部に、平行レール１５ｅ、１５ｅ間を繋ぐようにロック部１５ａと解除操作部１５ｂとを配置している。
【００２６】
ロック部１５ａは、インナハウジング１０がオスコネクタ１００のコネクタハウジング１１０に完全嵌合されたとき、オスコネクタ１００側の係合凸部１１５と係合することで、インナハウジング１０をオスコネクタ１００のコネクタハウジング１１０に対してコネクタ嵌合方向にロックする部分であり、解除操作部１５ｂより前側に配置され、ロック部１５ａと解除操作部１５ｂの間には、係合凸部１１５の嵌まる係止孔１５ｃが確保されている。
【００２７】
ロックアーム１５は、インナハウジング１０がオスコネクタ１００のフード部１１２に挿入されるとき、ロック部１５ａが係合凸部１１５と摺動することにより、内側に撓み変形し、ロック部１５ａが係合凸部１１５を潜り抜けた段階で、撓みから復帰することにより、ロック部１５ａを係合凸部１１５の背後に係合させ、それにより、インナハウジング１０をオスコネクタ１００のコネクタハウジング１１０にロックさせるように構成されている。
【００２８】
また、アウタハウジング２０のロックアーム１５に対応する部位には係止アーム２５が設けられている。この係止アーム２５は、基端２５ａをアウタハウジング２０の上壁２２に固定し、先端２５ｂを自由端として前方に延ばした片持梁として構成され、その先端２５ｂに、図３に示すように、ロック部１５ａに係合することでコネクタ嵌合方向にロック部１５ａと並んだ状態となり、その状態でインナハウジング１０に対するアウタハウジング２０の前方へのスライドを規制する係合部２５ｃを有している。係合部２５ｃの前部には、上を向いた切欠２５ｄが設けられており、この切欠２５ｄにロック部１５ａが嵌まることで、係止アーム２５の先端２５ｂは、ロック部１５ａより上側に外れないようになっている。また、係合部２５ｃの背面には、図５に示すように、ロック部１５ａの背後に係合部２５ｃが係合する際に係合しやすいように傾斜面２５ｅが設けられている。また、係止アーム２５の下面には、図５のようにロック部１５ａの背後に係合部２５ｃが係合した状態で、係合が外れにくいように下面突起２５ｆが設けられている。
【００２９】
この係止アーム２５は、インナハウジング１０がフード部１１２に挿入されるに従ってロックアーム１５のロック部１５ａが係合凸部１１５を潜り抜けるとき、係合凸部１１５に係合部２５ｃが摺動することにより、内側に撓み変形して、図４に示すように、係合部２５ｃのロック部１５ａに対する係合を解いて、アウタハウジング２０の前方へのスライドを許可し、その状態で、アウタハウジング２０が前方へスライドさせられたとき、図５に示すように、係合凸部１１５ならびにロック部１５ａを潜り抜けた上で、ロック部１５ａの前側に係合部２５ｃを係合させるものとして構成されている。
【００３０】
また、図５に示すように、アウタハウジング２０が前方位置にスライドして係止アーム２５の係合部２５ｃがロックアーム１５のロック部１５ａの前側に係合している状態で、ロックアーム１５をロック部１５ａと係合凸部１１５の係合を解除するために内側に撓ませたとき、図６に示すように、係止アーム２５が共に内側に撓み変形することで、係合部２５ｃがロック部１５ａの前側に係合している位置から離脱するようになっている。
【００３１】
次に作用を説明する。
図３に示すように、コネクタ嵌合前、バネ３０はフェルール５０に接触しておらず、バネ３０の反力はフェルール５０に作用しておらず、フェルール５０はランス１３によって保持されている。また、アウタハウジング２０の係止アーム２５の係合部２５ｃがインナハウジング１０のロックアーム１５のロック部１５ａに係合しており、アウタハウジング２０は前方にスライドできない状態となっている。
【００３２】
この状態から、オスコネクタ１００のフード部１１２に光コネクタ１のインナハウジング１０を挿入する。そうすると最初に、係合凸部１１５にロックアーム１５のロック部１５ａが当たり、係合凸部１１５とロック部１５ａが摺動することにより、ロックアーム１５が内側（図の下側）に撓み変形する。
【００３３】
嵌合を進めると、ロック部１５ａが係合凸部１１５を潜り抜けると同時に、今度は、係合凸部１１５が係止アーム２５の係合部２５ｃに摺動することにより、係止アーム２５が内側（図の下側）に撓み変形する。これにより、係止アーム２５の係合部２５ｃのロック部１５ａに対する係合が外れて、アウタハウジング２０が前方にスライドできる状態になる。つまり、オスネクタ１００のフード部１１２にインナハウジング１０が完全嵌合した状態になったとき、ロックアーム１５のロック部１５ａがオスコネクタ１００の係合凸部１１５の背後に係合し、その段階で初めて、ロックアーム１５のロック部１５ａに対する係止アーム２５の係合部２５ｃの係合が外れて、アウタハウジング２０が前方（矢印Ａ方向）にスライドできる状態になる。
【００３４】
そして、図４に示すように、この段階でアウタハウジング２０を前方へスライドさせることにより、今までフェルール５０との間に距離をおいていたバネ３０の押圧片３２をフェルール５０の後端面５５に押圧接触させることができて、バネ３０の力でフェルール５０を前方に付勢し、オスコネクタ１００のＦＯＴ１２０に対してフェルール５０を最小隙間で位置決めすることができるようになる。アウタハウジング２０を最後までスライドさせると、図５に示すように、係止アーム２５の係合部２５ｃが、オスコネクタ１００の係合凸部１１５に係合しているロックアーム１５のロック部１５ａの背後に係合し、それによりアウタハウジング２０がインナハウジング１０にロックされる。同時に、アウタハウジング２０の上壁２２のロック孔２２ｆがロックアーム１５上のロック突起１５ｆと係合することで、アウタハウジング２０がインナハウジング１０に確実にロックされる。
【００３５】
このように、コネクタ嵌合時の挿入力を２つのタイミング、つまり、ロックアーム１５のロック部１５ａがオスコネクタ１００の係合凸部１１５とロックする際の挿入力ピークと、バネ３０の反力によるアウタハウジング２０の挿入力ピークとに分けるようにしているので、挿入力のピーク値を小さくすることができ、嵌合の容易化を図ることができる。
【００３６】
次にコネクタの嵌合を解除する場合は、ロックアーム１５の解除操作部１５ｂを押し下げてロックアーム１５を内側に撓ませる。そうすると、図６に示すように、その動きにより係止アーム２５が共に内側に撓み、ロックアーム１５のロック部１５ａに対する係止アーム２５の係合、および、ロック孔２２ｆとロック突起１５ｆの係合が外れて、図６に示すように、バネ３０の力でアウタハウジング２０が自動的に後方（矢印Ｂ方向）に押しやられる。従って、バネ３０の付勢力が除外された状態で、ロックアーム１５によるロックを解除しながら、インナハウジング１０をオスコネクタ１００から容易に離脱させることができる。
【００３７】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３８】
１  光コネクタ
１０  インナハウジング（ハウジング部材）
１５  ロックアーム
１５ａ  ロック部
２０  アウタハウジング（スライド部材）
２５  係止アーム
２５ｃ  係合部
３０  バネ
５０  フェルール
６０  光ファイバ
１１０  オスコネクタ（相手側コネクタハウジング）
１１２  フード部
１１５  係合凸部
１２０  ＦＯＴ（光接続要素）
【図１】
2012173344.tif 000003
【図２】
2012173344.tif 000004
【図３】
2012173344.tif 000005
【図４】
2012173344.tif 000006
【図５】
2012173344.tif 000007
【図６】
2012173344.tif 000008